(57)【要約】【課題】  流体を使用する器具の利用に関する多様且つ有益な情報をユーザ側に提供することができる流体器具情報提供装置を提供する。【解決手段】流体器具情報提供装置１０は、流量計側部１１により計測されたガスの流量の経時変化に基づいて、ガス器具判別部１２により判別されたガス器具４０の種類毎にガスの使用量をそれぞれ積算するガス使用量積算部１４と、ガス使用量積算部１４により積算されたガス器具の種類毎の積算使用量に基づいて各積算使用量に対応するガス器具に関する料金情報を含んだ複数のガス器具情報を生成する器具情報生成部１６と、器具情報生成部１６により生成されたガス器具情報からいずれかのガス器具情報をユーザが選択する情報選択部１８と、情報選択部１８により選択された器具情報を出力する出力部５０を備える。【選択図】  図１
2013221863.tif 000002
【特許請求の範囲】
【請求項１】
流体が流れる流路内での流体の流量を計測する流量計測部と、
前記流量計側部により計測された前記流体の流量の経時変化に基づいて、前記流路の流量計測部より下流側に接続された前記流体を使用する複数の器具の種類を判別する器具判別部と、
前記流量計側部により計測された前記流体の流量の経時変化に基づいて、前記器具判別部により判別された複数の前記器具の種類毎に前記流体の使用量をそれぞれ積算する流体使用量積算部と、
前記流体使用量積算部により積算された前記器具の種類毎の積算使用量に基づいて各積算使用量に対応する前記器具に関する料金情報を含んだ複数の器具情報を生成する器具情報生成部と、
前記器具情報生成部により生成された前記複数の器具情報からいずれかの器具情報をユーザが選択するための選択部と、
前記選択部により選択された器具情報を出力するための出力部と、
を備える流体器具情報提供装置。
【請求項２】
前記複数の器具情報は、前記器具情報に対応する器具の料金情報、メンテナンスに関する情報、及び買い替えに関する情報である、請求項１に記載の流体器具情報提供装置。
【請求項３】
前記出力部が、選択された器具情報を表示する表示装置又は選択された器具情報を報知する報知装置の少なくともいずれかである、請求項１又は２に記載の流体器具情報提供装置。
【請求項４】
前記流体はガスであり、前記器具は、ガスを使用するガス器具である、請求項１から３のいずれか１項に記載の流体器具情報提供装置。
【請求項５】
請求項１から４のいずれか１項に記載の流体器具情報提供装置の全部もしくは一部として、コンピュータを機能させるプログラム。
【発明の詳細な説明】
【技術分野】
【０００１】
本発明は、流体を使用する器具に関する情報を提供する流体器具情報提供装置に関する。
【背景技術】
【０００２】
従来、流体であるガスを使用するガス器具の販売増を目的として器具別に異なるガス料金を提供する方法が提案されている。例えば、特許文献１には、冬場のガスストーブ等のガスの使用量の多いガス器具を対象として、ガスの使用量に応じた割引料金を算出する方法が開示されている。
【０００３】
ところで、これまで大規模または中規模の発電設備で燃料電池が実用化されてきたが、近年では、家庭用燃料電池の開発が進み、市販も開始されている。燃料電池による発電には水素が必要となるが、家庭用燃料電池では、家庭用に供給される炭化水素系ガス（いわゆる都市ガスまたは液化石油ガス（ＬＰガス）等）を水素供給源としている。したがって、家庭用燃料電池は、ガスを使用するという観点から「ガス器具」である、ということができる。そこで、近年の社会の省エネルギー化への取り組みに対応して、燃料電池についても様々な料金メニューが提案されている。例えば、特許文献２には、燃料電池の利用実態（ガスの消費量、発電量、廃熱量）に応じた複数の料金体系に基づいてガス料金を決定する燃料電池システムが開示されている。
【先行技術文献】
【特許文献】
【０００４】
【特許文献１】特開平９−３１８４０７号公報
【特許文献２】特開２００５−３１０５１４号公報
【発明の概要】
【発明が解決しようとする課題】
【０００５】
しかしながら、上記従来の技術では、ユーザ側に提供されるガス器具に関する情報は、ガス料金に限定されていた。また、ガス料金の設定方法に未だ改善の余地があった。
【０００６】
このような課題は、水等の他の流体を使用する器具に関する情報提供においても共通する課題である。
【０００７】
本発明はこのような課題を解決するためになされたものであって、流体を使用する器具の利用に関する多様且つ有益な情報をユーザ側に提供することができる流体器具情報提供装置を提供することを目的とする。
【課題を解決するための手段】
【０００８】
前記従来の課題を解決するために、本発明に係る流体器具情報提供装置は、流体が流れる流路内での流体の流量を計測する流量計測部と、前記流量計側部により計測された前記流体の流量の経時変化に基づいて、前記流路の流量計測部より下流側に接続された該流体を使用する複数の器具の種類を判別する器具判別部と、前記流量計側部により計測された前記流体の流量の経時変化に基づいて、前記器具判別部により判別された複数の前記器具の種類毎に前記流体の使用量をそれぞれ積算する流体使用量積算部と、前記流体使用量積算部により積算された前記器具の種類毎の積算使用量に基づいて各積算使用量に対応する前記器具に関する料金情報を含んだ複数の器具情報を生成する器具情報生成部と、前記器具情報生成部により生成された前記複数の器具情報からいずれかの器具情報をユーザが選択するための選択部と、前記選択部により選択された器具情報を出力するための出力部と、を備えるものである。
【０００９】
これにより、流体の流量の経時変化に基づいて流体を使用する器具の種類が判別され、判別された器具の種類毎の流体の積算使用量に基づいて、各積算使用量に対応する器具に関する料金情報を含んだ複数の器具情報を生成する。そして、ユーザは複数の器具情報の中からいずれかの器具情報を選択することで、器具の利用に関する多様且つ有益な情報をユーザに提供することができる。
【発明の効果】
【００１０】
以上のように、本発明によれば、流体を使用する器具の利用に関する多様且つ有益な情報をユーザ側に提供することができるという効果を奏する。
【図面の簡単な説明】
【００１１】
【図１】本発明の実施の形態１に係る流体器具情報提供装置の構成および流体の利用形態の一例を示すブロック図
【図２】実施の形態１において使用されるガス器具の使用状態の一例を示すタイムチャート
【図３】積算流量に基づいて算出されるガス器具情報の一例
【図４】ガス器具情報を選択するための表示画面の一例
【図５】選択されたガス器具に関する情報の表示画面の一例
【図６】本発明の実施の形態２に係る流体器具情報提供装置の構成およびその利用形態の一例を示すブロック図
【発明を実施するための形態】
【００１２】
第１の発明は、流体が流れる流路内での流体の流量を計測する流量計測部と、前記流量計側部により計測された前記流体の流量の経時変化に基づいて、前記流路の流量計測部より下流側に接続された該流体を使用する複数の器具の種類を判別する器具判別部と、前記流量計側部により計測された前記流体の流量の経時変化に基づいて、前記器具判別部により判別された複数の前記器具の種類毎に前記流体の使用量をそれぞれ積算する流体使用量積算部と、前記流体使用量積算部により積算された前記器具の種類毎の積算使用量に基づいて各積算使用量に対応する前記器具に関する料金情報を含んだ複数の器具情報を生成する器具情報生成部と、前記器具情報生成部により生成された前記複数の器具情報からいずれかの器具情報をユーザが選択するための選択部と、前記選択部により選択された器具情報を出力するための出力部とを備えるものである。この構成によれば、流体の流量の経時変化に基づいて流体を使用する器具の種類が判別され、判別された器具の種類毎の流体の積算使用量に基づいて、各積算使用量に対応する器具に関する料金情報を含んだ複数の器具情報を生成する。そして、ユーザは複数の器具情報の中からいずれかの器具情報を選択することで、器具の利用に関する多様且つ有益な情報をユーザに提供することができる。
【００１３】
第２の発明は、第１の発明において、前記複数の器具情報は、該器具情報に対応する器具の料金情報、メンテナンスに関する情報、及び買い替えに関する情報である。この構成によれば、器具の料金情報だけでなく、器具のメンテナンス時期や買換え時期等の器具の利用に関する有益な情報をユーザに提供することができる。
【００１４】
第３の発明は、第１又は第２の発明において、前記出力部が、選択された器具情報を表示する表示装置又は選択された器具情報を報知する報知装置の少なくともいずれかである。この構成によれば、表示装置又は報知装置により、選択された器具情報をより確実にユーザに提供することができる。
【００１５】
第４の発明は、第１から第３のいずれか１つの発明において、前記流体はガスであり、前記器具は、ガスを使用するガス器具である。この構成によれば、ガス器具の利用に関する情報をユーザに提供することができる。例えばガス器具には燃料電池を含んでもよい。
【００１６】
第５の発明は、第１から第４のいずれか１つの発明の流体器具情報提供装置の全部もしくは一部として、コンピュータに機能させるプログラムである。この構成によれば、このプログラムをコンピュータに格納させることにより、コンピュータを用いて本発明の流体器具情報提供装置の一部あるいは全てを容易に実現することができる。また、記録媒体に記録したり通信回線を用いてプログラムを配信したりすることでプログラムの配布やインストール作業が簡単にできる。
【００１７】
以下、本発明の好ましい実施の形態を、図面を参照しながら説明する。なお、以下では全ての図を通じて同一又は相当する要素には同一の参照符号を付して、その重複する説明を省略する。
【００１８】
（実施の形態１）
まず、本発明の実施の形態１に係る流体器具情報提供装置の構成の一例と、流体の利用形態の一例とについて、図１を参照して具体的に説明する。流体器具は、流体を使用する器具であれば特に限定されない。流体器具として、ガス器具、水道器具等が例示される。以下では、ガス器具を例示する。
【００１９】
図１に示すように、本実施の形態に係る流体器具情報提供装置１０は、流体であるガスを使用する複数のガス器具の情報をユーザに提供する装置であり、ガス供給ライン３２を介してガス供給源３１とガス器具４０とにつながっている。
【００２０】
ガス供給源３１は、原料ガス源（例えば、いわゆる都市ガスまたは液化石油ガス（ＬＰガス）等のインフラストラクチャ(infrastructure)）に接続されており、需要に応じて炭化水素系ガス（例えば、メタンを主成分とする天然ガス、プロパンを主成分とするＬＰガス）をガス供給ライン３２およびガス器具４０に供給する。ガス供給ライン３２としては、公知のガス配管が用いられるが、ガス配管以外の他の公知の管状部材を用いた経路であってもよい。また、図１では省略しているが、ガス供給ライン３２には、種々の開閉弁、分岐機構等が設けられている。
【００２１】
ガス器具４０としては、例えば、燃料電池４１、ファンヒータ４２、およびガステーブル４３を例示している。燃料電池４１の具体的な構成は特に限定されないが、本実施の形態では、例えば、ガスを改質する改質器と改質器から改質ガスを供給されて発電する燃料電池スタックとを備える構成が挙げられる。
【００２２】
燃料電池スタックは、複数の発電セルをスタック化したものである。各発電セルの具体的な種類は特に限定されず、固体高分子電解質形、固体酸化物形、りん酸形、溶融炭酸塩形等の公知のものが挙げられる。また、脱硫器、原料供給器、酸化剤ガス供給器、改質器、熱供給器、各ラインおよび各弁の具体的構成も特に限定されず、公知のものを用いることができる。
【００２３】
ファンヒータ４２は、ガスの燃焼熱をファンで送り出す暖房器具であり、その具体的な構成は特に限定されず、家庭用または業務用の公知のものが用いられる。ガステーブル４３は、ガスレンジ（gas range, gas stove）とも称する調理器具であり、その具体的な構成は特に限定されず、家庭用または業務用の公知のものが用いられる。ファンヒータ４２またはガステーブル４３以外のガス器具４０としては、例えば、ガスストーブ、ガス床暖房装置等の暖房器具；ガス炊飯器、ガスオーブン等のガス調理器具；ガス給湯器；等が挙げられるが特に限定されない。
【００２４】
流体器具情報提供装置１０は、燃料電池４１を含む複数のガス器具４０に流入するガスの流量を計測するために、ガス供給ライン３２に設けられ、流量計測部１１、ガス器具判別部１２、判別用流量データ記憶部１３、ガス使用量積算部１４、積算使用量記憶部１５、ガス器具情報生成部１６、ガス器具情報記憶部１７、情報選択部１８、出力部５０を備えている。
【００２５】
ガス器具判別部１２、判別用流量データ記憶部１３、ガス使用量積算部１４、積算使用量記憶部１５、ガス器具情報生成部１６、ガス器具情報記憶部１７、情報選択部１８、表示装置１９及び報知装置２０の具体的な構成は特に限定されず、公知の構成を用いることができる。具体的には、例えば、ガス器具情報生成部１６は、流体器具情報提供装置１０に設けられる演算器（図１には示さず）の機能構成（演算器が、図示しない記憶部に格納されるプログラムに従って動作することにより実現される構成）であってもよいし、公知のスイッチング素子、減算器、比較器等による論理回路等として構成されてもよい。また、判別用流量データ記憶部１３、積算使用量記憶部１５及びガス器具情報記憶部１７は公知の不揮発性メモリ、ハードディスクドライブ、あるいはこれらの組合せ等として構成されればよい。
【００２６】
さらに、流体器具情報提供装置１０は、流量計測部１１、ガス器具判別部１２、判別用流量データ記憶部１３、ガス使用量積算部１４、積算使用量記憶部１５、ガス器具情報生成部１６、ガス器具情報記憶部１７、情報選択部１８、表示装置１９及び報知装置２０以外の構成を備えていてもよい。例えば、前記演算器を含む制御部、判別用流量データ記憶部１３、積算使用量記憶部１５及びガス器具情報記憶部１７以外の記憶部、計時部、ガス遮断部等が挙げられるが、特に限定されない。
【００２７】
また、器具判定部１２、判別用データ記憶部１３、流体使用量積算部１４、積算使用量記憶部１５、器具情報生成部１６及び器具情報記憶部１７は、マイクロコンピュータ（マイコン）等を構成するプロセッサ及び動作プログラムにより、構成され、プロセッサにおいて所定の動作プログラムを実行して対応する処理をおこなうことにより、各機能が実現される。尚、上記記憶部は、マイコン内部のメモリ、若しくはハードディスクドライブ等の外部メモリ、その他、ネットワークを介して接続されたコンピュータによりアクセス可能な記憶装置であってもよい。  流量計測部１１は、ガスが流れる流路３３内でのガス流量を計測するものであり、その具体的な構成は特に限定されないが、本実施の形態では、例えば、超音波を用いてガス等の流体の流量を計測する超音波流量計測器が用いられている。典型的な超音波流量計測器としては、伝播時間逆数差法を利用したものを挙げることができる。伝播時間逆数差法では、流量計測の対象となる流路３３の上流側および下流側のそれぞれに超音波送受波器を設け、パルス状の超音波を交互に送受信させる。これにより、順方向および逆方向それぞれの伝搬時間を測定しその逆数差から流体の流速を求め、当該流速と流路３３の断面積とを利用して流体の流量を計測する。流量計測部１１は、図１では模式的に示すのみであるが、流体器具情報提供装置１０の一部であるとともに、ガス供給ライン３２に接続されている構成となっている。なお、伝播時間逆数差法を利用した超音波流量計測器の具体的な構成および流路３３の具体的な構成は特に限定されるものではなく、公知の構成を用いることができる。また、流量計測部１１としては、前記超音波流量計測器以外に、フローセンサ式、フルイディック式等のガス流量計測器が挙られるが、特に限定されない。
【００２８】
ガス器具判別部１２は、流量計側部１１により計測されたガスの流量の時間変化に基づいて、流量計測部１１より下流側に接続された複数のガス器具４０の種類を判別するものである。図２は、ガステーブル４３と燃料電池４１の使用状態の一例を示すタイムチャートである。同図（ａ）に示すように、一般的なガス器具であるガステーブルは、ガス流量の変化は燃料電池と比較すれば急峻である（ｔ１、ｔ２、ｔ３）。これに対して、同図（ｂ）に示すように、燃料電池においては、そのガス流量の変化は、起動後も緩やかな変化で推移する（ｔ４）。流量計側部１１では、同図（ｃ）に示すように、ガステーブルと燃料電池のガスの流量を合計したものが計測される。それゆえ、本実施の形態においては、器具毎の使い始めの流量の波形の特徴量に着目し、一般的なガス器具と燃料電池とを判別する。ガス器具判別部１２は、流量計測部１１により計測されたガスの流量の実測値を判別用流量データと比較して、ガス供給ライン３２につながるガス器具４０のうち使用中のガス器具４０の種類を判別する。
【００２９】
判別用流量データ記憶部１３は、ガス器具の種類毎にガスの流量の時系列集合データを判別用流量データとして記憶している。ここでは、判別用流量データ記憶部１３には、燃料電池４１を含むガス器具４０（ファンヒータ４２またはガステーブル４３等）についての判別用流量データが記憶されている。
【００３０】
ガス使用量積算部１４は、流量計側部１１により計測されたガスの流量の経時変化に基づいて、ガス器具判別部１２により判別された複数のガス器具４０の種類毎にガスの使用量をそれぞれ積算するものである。
【００３１】
積算使用量記憶部１５は、ガス使用量積算部１４により、積算したガス器具の種類毎にガスの積算使用量をそれぞれ記憶するものである。本実施の形態では、ガス器具毎に使用開始から現在までの積算使用量を記憶する。
【００３２】
ガス器具情報生成部１６は、ガス使用量積算部１４により積算されたガス器具の種類毎の積算使用量に基づいて各積算使用量に対応するガス器具に関する料金情報を含んだ複数のガス器具情報を生成するものである。ここで複数のガス器具情報とは、ガス器具情報に対応するガス器具の料金情報、メンテナンスに関する情報、及び買い替えに関する情報である。
【００３３】
次に、図３を用いてガス器具情報について説明する。図３（ａ）は、積算使用量に基づいて決定されるガス料金の割引率を示すグラフである。図３（ａ）では、例えば、現在の積算使用量から現在のガス料金の割引率を算出している。ここでは積算使用量が多くなればなるほど割引率を高くしたガス料金を生成するように料金体系が設定されており、例えば、積算使用量が増加するに従い、５パーセントずつ段階的に割引率が高くなる。ユーザの現在の積算使用量はQ１以上Q２未満であるので、現在のガス料金の割引率は１０パーセントである。このようにして、割引率を含んだ現在のガス料金についての料金情報が生成される。
【００３４】
図３（ｂ）は、積算使用量に基づいて決定されるガス器具のメンテナンス時期を示すグラフである。図３（ｂ）に示すように、例えば、ユーザの現在までの積算使用量Qｐに基づいて、将来の使用量をシミュレーションにより予測することにより、適切なメンテナンス時期を算出することができる。このようにしてガス器具のメンテナンスに関する情報が生成される。
【００３５】
図３（ｃ）は、積算使用量に基づいて決定されるガス器具の買い替え時期を示すグラフである。図３（ｃ）に示すように、例えば、ユーザの現在までの積算使用量Qｐに基づいて、将来の使用可能な積算使用量をシミュレーションにより予測することにより、ガス器具の適切な買い替え時期を算出することができる。例えば、使用開始から買換え時期までの使用可能な総積算流量Qｒを燃料電池の寿命とした場合、将来、積算使用量がQｒに到達する時期を算出し、買い替え時期とする。このようにしてガス器具の買い替えに関する情報が生成される。
【００３６】
ガス器具情報記憶部１７は、ガス器具情報生成部１６により、生成された複数のガス器具情報をガス器具の種類毎に記憶するものである。
【００３７】
情報選択部１８は、ガス器具情報生成部１６により生成された複数のガス器具情報からいずれかのガス器具情報をユーザが選択するためのものである。本実施の形態では、例えば、画面に表示されたメニューをタッチパネル入力により選択する。図４は、ガス器具情報を選択するための表示画面の一例である。同図の上は、ガス器具を選択するための表示画面である。ユーザは情報を閲覧したいガス器具を選択する。例えば、ユーザは、画面上の「燃料電池（使用中）」の部位に触れることでガス器具として燃料電池を選択する。同図の下は、選択したガス器具の関する複数の情報からいずれかの情報を選択するための表示画面の一例である。ユーザは、前の画面で選択した燃料電池に関する「料金情報」、「メンテナンス情報」及び「買換え情報」の中からいずれかの情報を画面上から選択する。
【００３８】
出力部５０は、情報選択部１８により選択されたガス器具情報を出力するためのものであり、本実施の形態では、例えば、表示装置１９及び報知装置２０で実現される。表示装置１９は、選択されたガス器具情報を表示するものであり、本実施の形態では、情報選択部１８としてのタッチパネル機能を備えた液晶ディスプレイにより構成され、ガス器具情報の他、ガス流量やガス器具の動作状態、警告等を表示するものである。報知装置２０は、選択されたガス器具情報を報知するものである。出力部５０は、表示装置又は報知装置のいずれかによりガス器具情報を出力してもよい。
【００３９】
図５は、選択されたガス器具に関する情報の表示画面の一例である。ユーザが料金情報を選択した場合には、図５（ａ）に示すように、燃料電池の現在のガス料金が表示される。このとき、報知装置２０により現在の割引率を音声により報知してもよい。その他、積算流量が１００ｍ３を超える毎にガス料金の値下がりをユーザに音声で知らせるようにしてもよい。更に、詳細な情報を閲覧したい場合は、画面上の「詳細情報」の部位に触れることで次の画面に移行し、割引率、積算流量、使用開始から現在までの年数等の情報が閲覧できるようにしてもよい。
【００４０】
ユーザがメンテナンス情報を選択した場合には、図５（ｂ）に示すように、燃料電池の初回メンテナンスの時期が表示される。更に、詳細な情報を閲覧したい場合は、画面上の「詳細情報」に触れることで次の画面に移行し、メンテナンス料金、積算流量、使用開始から現在までの年数等の情報が閲覧できるようにしてもよい。
【００４１】
ユーザが買換え情報を選択した場合には、図５（ｃ）に示すように、燃料電池の買い替え時期が表示される。更に、詳細な情報を閲覧したい場合は、画面上の「詳細情報」に触れることで次の画面に移行し、ガス器具を買い替える場合の費用、積算流量、使用開始から現在までの年数等の情報が閲覧できるようにしてもよい。
【００４２】
以上のような構成により、ユーザは複数のガス器具情報の中からいずれかのガス器具情報を選択することで、ガス器具の利用に関する多様且つ有益な情報をユーザに提供することができる。
【００４３】
（実施の形態２）
次に、本発明の実施の形態２について、図６を用いて説明する。尚、実施の形態１と共通する構成の説明は省略し、相違する構成についてのみ説明する。
【００４４】
本実施の形態は、実施の形態１と比較すると、流体器具情報提供装置１００が通信部６０を更に備えた点が相違する。通信部６０は、有線または無線による通信機能を有し、例えば公衆回線を介して管理センター２００のサーバとネットワークＮを介して接続される。この通信部６０は、各種情報及びコマンドや信号を管理センター２００との間で授受するものである。図６では、流体器具情報提供装置１００及び管理センター２００は、無線通信システムを構成し、親機が管理センター２００のサーバに相当し流体器具情報提供装置１００が子機に相当する。尚、流体器具情報提供装置１００（子機）と管理センター２００（親機）とは、適宜な場所に設置された図示しない中継機を介して通信してもよい。
【００４５】
管理センター２００のサーバは、コンピュータ等を有して構成され、管理部の機能を実現するもので、コンピュータ等を構成するプロセッサ及び動作プログラムを実行して対応する処理を行うことにより、各機能が実現される。
【００４６】
このような構成としたことで、流体器具情報提供装置１００において、ガス器具情報生成部１６は、管理センター２００のサーバから積算情報に基づいた最新の料金体系をダウンロードして、ガス料金情報を生成することができる。また、メンテナンス情報及び買換え情報を生成する際に行うシミュレーション計算を管理センター２００のサーバで行い、その結果をダウンロードするような構成にして、流体器具情報提供装置１００における負荷を軽減することができる。
【００４７】
また、上記各実施の形態における流体器具情報提供装置は、流体であるガスを使用するガス器具に関する情報を提供する構成として説明したが、これに限定されるものではなく、流体である水を使用する洗濯機、風呂、シャワー、水洗トイレ等の水道器具に関する情報提供を行うような構成であってもよい。
【００４８】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００４９】
本発明は、流体を使用する器具に関する情報を提供する機能を有する流量計測装置の分野に用いることができる。とりわけ家庭用等のガスメータ、水道メータに適用して効果が
期待できるものである。
【符号の説明】
【００５０】
１０、１００    流体器具情報提供装置
１１    流量計測部
１２    ガス器具判別部
１３    判別用流量データ記憶部
１４    ガス使用量積算部
１５    積算使用量記憶部
１６    ガス器具情報生成部
１７    ガス器具情報記憶部
１８    情報選択部
１９    表示装置（出力部）
２０    報知装置（出力部）
３２    ガス供給ライン
３３    流路
４０    ガス器具
４１    燃料電池（ガス器具）
４２    ファンヒータ（ガス器具）
４３    ガステーブル（ガス器具）
５０    出力部
６０    通信部
２００    管理センター
Ｎ    ネットワーク
【図１】
2013221863.tif 000003
【図２】
2013221863.tif 000004
【図３】
2013221863.tif 000005
【図４】
2013221863.tif 000006
【図５】
2013221863.tif 000007
【図６】
2013221863.tif 000008